(57)【要約】  【課題】商品を収納する収納室内の詰まり商品を簡単に取り除くことができるとともに、商品収納棚の操作性を高めた自動販売機を提供する。  【解決手段】商品を収納する商品収納コラムを備え、商品収納棚１２１を前後方向に可動自在に支持するパネルコラム１２０を構成し、商品収納棚１２１は、本体内部に支持されるときは、奥行き方向に下り傾斜配置し、外部に引き出された時は、略水平方向に維持されて保持されることで、略水平に維持することで、詰っていない商品をそのままの状態で維持したまま、商品収納棚１２１内に詰った商品を容易に取り出すことができる。【選択図】図４
2008112321.tif 000002
【特許請求の範囲】
【請求項１】
本体内部に商品を収納する商品収納コラムを備え、前記商品収納コラムは商品収納棚を前後方向に可動自在に支持するパネルコラムを構成し、前記商品収納棚は、本体内部に支持されるときは、奥行き方向に下り傾斜配置し、外部に引き出された時は、略水平方向に維持されて保持されることを特徴とする自動販売機。
【請求項２】
商品収納棚下部の前方と後方に、前記商品収納棚を支持する支持部材が備えられ、前方支持部材はパネルコラムに保持され、後方支持部材は前記商品収納棚に固定されて、前記商品収納棚の可動によって前記後方支持部材は前記パネルコラムに形成した長孔に沿って移動することを特徴とする請求項１に記載の自動販売機。
【請求項３】
長孔は傾きが異なる２つの直線が連続して形成され、パネルコラムの前方側は傾きの大きい直線の長孔で後方側は傾きの小さい直線の長孔で構成されていることを特徴とする請求項２に記載の自動販売機。
【請求項４】
前方支持部材と後方支持部材によって商品収納棚は支持されて、前記商品収納棚を前方に引き出し、略水平状態に維持されるように前記後方支持部材は前記商品収納棚の最後部よりも若干前の位置に固定したことを特徴とする請求項２または３に記載の自動販売機。
【請求項５】
商品収納棚に横倒し状態で投入される商品の幅を規制する収納幅調整板を備え、前記収納幅調整板は前記商品収納棚の投入口から少なくとも数本程度投入される位置まで奥行き方向に形成されていることを特徴とする請求項１から４のいずれか一項に記載の自動販売機。
【請求項６】
商品収納棚の下部に前方支持部材に係合するツメ部材を有し、商品収納棚が本体内部に保持されているとき、前記前方支持部材に係合し、前記商品収納棚の飛び出しを防止することを特徴とする請求項２から５のいずれか一項に記載の自動販売機。
【発明の詳細な説明】
【技術分野】
【０００１】
本発明は、商品保存収納部に収納された商品が詰まりを起こしたときに、容易にメンテナンスできるようにした自動販売機に関するものである。
【背景技術】
【０００２】
従来、この種の自動販売機で商品収納部を引き出せるようにしたものがあった（特許文献１参照）。
【０００３】
図７は、特許文献１に記載された従来の自動販売機の縦断面図を示すものである。図に示すように、自動販売機本体１内には後面を開口した断面がコ字形箱状の引出し式に前後に摺動自在に棚側板２に支持し、かつ抜き出し可能に構成した底部材３を設けており、この底部材３の底上面が投入口４の奥行き方向に下り傾斜する底面５を形成している。
【０００４】
また底部材３をその奥行き方向に前部６と後部７とに２分割するとともに、その分割端で軸長方向が奥行き方向に対し直角な回動軸８を介して互いに回動自在に支持している。
【０００５】
底部材３を引き出した際、引出し端で前部６が、その前端を下向きに回動して、その底面５を手前方向に下り傾斜した回動位置でその回動軸９側端部下面に固定した断面がヘの字状の係止部と後部の下面とが当接して係止されるように構成されている。
【０００６】
商品の補充の際、底部材３をその前部６の前端を手で持って手前に引き出し、前部６を、その前端がその後端より下に前傾姿勢位置で係止部１０により、その回動が係止されるまで、その前端を下向きに回動する。この下がった位置にきた前部６内に商品を複数個入れた後、前部６をその前端を上方に回動し、前部６の底面が後部の底面とほぼ一致し奥行き方向に下り傾斜姿勢になったとき前部６内の商品は転動し、さらに商品が必要なときは、上記作業を繰り返し行う。
【０００７】
補充が終われば、前部６をその底面が後部７の底面と同一面になるまで、その前端を上向きに回動した後、底部材３を奥行き方向に押し込んで作業は完了する。
【０００８】
したがって、商品補充作業を迅速かつ容易に行え、高い位置に収納する場合でも用意に行うことが出来る。
【特許文献１】実開平２−１０４４８６号公報
【発明の開示】
【発明が解決しようとする課題】
【０００９】
しかしながら、上記従来の構成では、底部材３の前部６は前方に引き出すことが出来き、後部７も自動販売機内ではあるが前方にある程度引き出すことができるので、底部材３で商品が詰った場合は、取り除くことができるが、底部材３の後方の収納部内で詰った場合は、引き出す構造になっておらず、詰り商品を取り出すことが困難である。
【００１０】
特に商品収納装置の上部で詰った場合は、高い位置にあり、さらに詰り商品を取り除くのが困難になってくる。
【００１１】
本発明は、上記従来の課題を解決するもので、商品を収納する収納室内の商品収納構造を自動販売機の前後方向にするとともに、その商品収納棚内で商品詰まりがおきても、容易に取り除けるようにした自動販売機を提供することを目的とする。
【課題を解決するための手段】
【００１２】
上記従来の課題を解決するために、本発明の自動販売機は、商品を収納する商品収納棚を前後方向に移動可能に構成し、商品収納棚を前方へ引出した時、商品収納棚が略水平方向に維持されるように、側板となるパネルコラムの前方に固定したピンと、商品収納棚の後方に固定し商品収納棚の前方移動とともに移動するピンとがほぼ同じ高さ位置になるところまで移動可能としたものである。
【００１３】
これによって、商品収納棚を前方に引き出した時に、略水平状態で維持し、かつ商品収納棚の後部は手が届く位置まで前方に引き出されているので、商品収納棚内部はすべて手が届くように構成されるので、詰まり商品を容易に確実に取り除くことができる。
【発明の効果】
【００１４】
本発明の自動販売機は、商品収納棚が前後方向に移動可能に構成され、商品収納時は、収納棚を自動販売機本体内部に保持した状態で収納し、商品詰りが起こった場合は、収納棚を前方に引き出して取り除くことが出来るので、自動販売機管理者の商品補充とメンテナンス動作を容易に行うことができ作業性を向上することができる。
【発明を実施するための最良の形態】
【００１５】
請求項１に記載の発明は、本体内部に商品を収納する商品収納コラムを備え、前記商品収納コラムは商品収納棚を前後方向に可動自在に支持するパネルコラムを構成し、前記商品収納棚は、本体内部に支持されるときは、奥行き方向に下り傾斜配置し、外部に引き出された時は、略水平方向に維持されて保持されることで、略水平に維持することで、詰っていない商品をそのままの状態で維持したまま、商品収納棚内に詰った商品を容易に取り出すことができる。
【００１６】
請求項２に記載の発明は、請求項１に記載の発明にさらに、商品収納棚下部の前方と後方に、前記商品収納棚を支持する支持部材が備えられ、前方支持部材はパネルコラムに保持され、後方支持部材は前記商品収納棚に固定されて、前記商品収納棚の可動によって前記後方支持部材は前記パネルコラムに形成した長孔に沿って移動するので、引き出し動作時、前後の支持部材によって支持しながら商品収納棚を引き出せるので、内部に商品がある状態でも容易に引き出すことが出来る。
【００１７】
請求項３に記載の発明は、請求項２に記載の発明にさらに、長孔は傾きが異なる２つの直線が連続して形成され、パネルコラムの前方側は傾きの大きい直線の長孔で後方側は傾きの小さい直線の長孔で構成されているので、引出し始めは傾きが小さいので、引き出しやすく、途中で傾きを大きくすることで、外部に引き出された商品収納棚を徐々に水平状態に移行していけるので、姿勢が正されている商品を維持したまま引き出すことができる。
【００１８】
請求項４に記載の発明は、請求項２または３に記載の発明にさらに、前方支持部材と後方支持部材によって商品収納棚は支持されて、前記商品収納棚を前方に引き出し、略水平状態に維持されるように前記後方支持部材は前記商品収納棚の最後部よりも若干前の位置に固定したので、商品収納棚が完全に引き出された状態でも、商品収納棚の一部が本体内部にある状態になるので、商品収納棚自体の強度維持を図ることができる。
【００１９】
請求項５に記載の発明は、請求項１から４のいずれか一項に記載の発明にさらに、商品収納棚に横倒し状態で投入される商品の幅を規制する収納幅調整板を備え、前記収納幅調整板は前記商品収納棚の投入口から少なくとも数本程度投入される位置まで奥行き方向に形成されているものであり、投入時の商品姿勢を制御することが出来る。
【００２０】
請求項６に記載の発明は、請求項２から５のいずれか一項に記載の発明にさらに、商品収納棚の下部に前方支持部材に係合するツメ部材を有し、商品収納棚が本体内部に保持されているとき、前記前方支持部材に係合し、前記商品収納棚の飛び出しを防止するとともに、引き出し状態から内部に収納した時の位置決め的な役割も行うことが出来る。
【００２１】
（実施の形態１）
図１は、本発明の実施の形態１を示す自動販売機の正面図である。図２は、同実施の形態の自動販売機本体の正面図である。図３は、図２の縦断面概略図である。
【００２２】
図において、自動販売機本体２０内には複数の商品収納室２１が区画構成されて種々の商品２２がそれぞれ収納されている。自動販売機本体２０の前面開口部には外扉２３が配置されている。外扉２３の上部に商品サンプル展示室２４、その下方に商品の広告などを掲示する広告パネル室２５と金銭投入部２６が横並びに備えられ、外扉２３の下部には選択された商品２２を排出する商品取出口２７が備えられている。
【００２３】
次に自動販売機本体２０内の構造について説明する。
【００２４】
自動販売機本体２０内には１つの商品収納室２１が構成され、商品収納室２１内には前後方向に商品を収納する商品収納コラム２８が前後複数列、左右複数行に構成され、商品収納コラム２８の後方を下方に傾斜させて、商品が横倒し状態で収納されるように形成されている。
【００２５】
商品収納室２１の下部には保温室２９が断熱区画して形成されており、上部の商品収納室２１との間に断熱仕切板３０が配置し上下を区画している。商品収納室２１と保温室２９を区画する断熱仕切板３０は傾斜配置し、商品収納コラム２８とほぼ平行になるように傾斜している。また、保温室２９の側壁、背壁、底壁も断熱仕切板３０で区画形成されている。また保温室２９内を左右に仕切る断熱区画壁３１が形成されて、保温室２９内は実施例の場合、３つの保温室に区画され、第１の冷却室２９ａ、第２の冷却室２９ｂ、第１の加温室２９ｃのように区画されている。この場合、第１の冷却室２９ａと第２の冷却室２９ｂの間は断熱しない仕切板でもよい。
【００２６】
第１の冷却室２９ａ内には冷却システムの蒸発器３２ａ、第２の冷却室２９ｂ内には別の冷却システムの蒸発器３２ｂが配置され、第１の加温室２９ｃ内には誘導加熱によって加温するＩＨ加温ユニット３３が備えられている。
【００２７】
また、商品収納室２１と保温室２９は、商品収納室２１の後方に形成した空間部３４ａ内を移動する商品搬送手段３４ｂによって接続されており、各々の商品収納コラム２８からそれぞれ特定された保温室２９内の空間へ商品が搬送される構成となっている。また保温室２９の前方には排出搬送手段３５が形成されており、適温に保温された商品を商品取出口２７へ排出する。
【００２８】
そして保温室２９の下部には冷却システムを構成する圧縮機３６、室外熱交換器３７があり、蒸発器３２ａ、３２ｂと接続されていて、またこれらを駆動する電装ボックスなどが配置されている。
【００２９】
以上のように構成された自動販売機の動作について説明する。
【００３０】
自動販売機本体２０内の商品は商品収納室２１の商品収納コラム２８内に横倒し姿勢で収納されている。商品収納室２１の領域は常温で保たれており、保温室２９とを仕切る断熱仕切板３０によって保温室２９内の熱影響を受けないように構成されている。特に加温による商品への影響を抑えることで、商品収納室２１内の商品劣化を抑えて、自動販売機内の商品収納室２１内に長期間ストックされていても品質を維持できる。
【００３１】
また、商品収納室２１は商品を常温で収納するので、商品収納室２１と自動販売機本体２０の間には断熱壁を設ける必要がなく、商品収納室２１の奥行き、横幅、上部をワイドに広げることができ、商品の収納効率をアップすることができる。
【００３２】
ただし、自動販売機は屋外設置もあり、夏場の高外気にさらされるので、断熱壁を設けて外気による商品劣化を抑える構造にしてもよい。
【００３３】
そして、商品収納コラム２８内の最後尾の商品から順番に商品搬送手段３４ｂによって保温室２９内に収納される。商品は横倒し姿勢の状態のまま保温室２９内の各商品収納コラム２８に対応する位置があらかじめ特定されており、第１の冷却室２９ａ、第２の冷却室２９ｂ、第１の加温室２９ｃなどに振り分けられて冷却または加温される。また保温室２９内では商品はそれぞれ横倒し状態で収納されているので商品収納室２１から保温室２９への商品搬送を簡便に行うことができる。
【００３４】
そして保温室２９内では商品を冷却システムにより商品を回転させながら急速冷却し、加温はＩＨ加温ユニット３３により急速加温することで、商品を常温から急速に適温になるように制御することで、販売機機会を逃すことなく利用者へ提供することができる。
【００３５】
特に上記の加温動作は、利用者が選択ボタンを操作することに連動して行えば、商品の加温劣化をさらに防止することができ、品質を高めることができる。
【００３６】
また冷却システムや加温システムは上記のようにユニットとして据置きタイプの場合以外に、カセット式に着脱自在なシステムでもよく、保温室２９の保温パターンを自由に配置換えできる構造にすれば、仕向け地によって自由設定ができ、販売機機会をさらに増やすことができる。
【００３７】
そして適温に保温された商品は排出搬送手段３５によって商品取出口２７へ導かれる。従って排出搬送手段３５によって保温室２９から商品が排出されると、商品があった空間に同じ商品が商品収納室２１から商品搬送手段３４によって搬送される。
【００３８】
したがって選択ボタン３７に対して商品収納コラム２８と保温室２９内の保温位置（番地）３９があらかじめ設定されており、利用者が好みの選択ボタン３７を操作することによって、保温室２９の保温位置（番地）３９から選択された商品が特定されて排出され、その特定商品と同じ商品を収納する商品収納コラムが特定されて、商品搬送手段３４によって選択されて、保温室２９の保温位置（番地）３９に保温収納されるので、自動販売機内の商品収納室２１と保温室２９の自動在庫管理を行うことができ、商品の鮮度を自動管理でき、貯蔵ゾーンと保温ゾーンを断熱区画しているので、消費電力量を低減することができる。
【００３９】
また保温室２９内での商品姿勢を立ち姿勢にして保温運転、保温維持してもよく、立ち姿勢にすることで、そのまま排出搬送手段３５によって商品取出口２７へ運ぶことも可能であり、利用者への排出動作が意匠的に見栄えがよく、商品を取出し易いので、取り損ねて商品を落したりして商品の破損や噴出しを低減することが出来る。
【００４０】
また断熱仕切板３０、断熱区画壁３１を真空断熱材で構成すれば、さらに壁厚を薄く出来き、収納効率をアップすることができ、さらに保温室の消費電力量を低減することができる。また、商品収納室２１を冷却室２９ａと加温室２９ｃの区画に合せて左右に区画しておいてもよく、商品の補充がしやすくなり作業効率を向上することができる。
【００４１】
また断熱仕切板３０は商品収納室２１の全幅に亘って形成したが、少なくとも加温室２９ｃの上部と商品収納室２１との間を断熱区画するものでもよく、この場合、冷却室２９ａ、２９ｂの上部は商品収納室２１と熱的に断熱されず、商品収納室２１内の商品も冷却保存されるので、同じ商品が短期間の間に販売される場合、商品温度を適温に維持することができ、販売機会を確保することができる。
【００４２】
図４は、本実施の形態の商品収納コラムの斜視図である。図５は、図４の縦断面概略図である。図６は、図５の動作部における詳細図である。
【００４３】
商品収納コラム２８の構造について説明する。
【００４４】
商品収納コラム２８は２枚の左右対称形状であるパネルコラム１２０を外郭とし、そのパネルコラム間に商品収納棚１２１及び商品収納棚１２１を支持するピンスリーブ１２２が配置されている。パネルコラム１２０には長孔１２３があいており、その長孔と商品収納棚１２１にあけられた穴に後方支持部材（以下ピンスリーブ１２２という）を通すことにより商品収納棚１２１がパネルコラム１２０に固定されている。
【００４５】
パネルコラム１２０の前側に挿入されている前方支持部材（以下ピンスリーブ１２２という）は商品収納棚１２１の前側を支えており、商品収納棚１２１の引き出し時において支点部となっている。又長孔１２３はパネルコラム１２０の奥行き方向に向かって下方に傾斜されており、商品収納棚１２１の収納時は、長孔１２３と同様に下方傾斜となり固定されている。但し商品収納棚１２１の引き出し時には商品収納棚が地面に対して平行となるように長孔１２３の傾斜角度が調整されている。
【００４６】
商品収納棚１２１の前側には商品収納棚飛び出し防止ツメ１２４が形成されており、前側で商品収納棚を支えているピンスリーブ１２２と接触することによって商品収納棚１２１が前方向に規制されている。
【００４７】
商品収納棚１２１の内側には収納幅調整板１２５が配置されており、収納幅調整板１２５は多品種商品の収納に対応できるよう商品収納棚を区画形成している。
【００４８】
以上のように構成された商品収納棚１２１が商品収納コラム２８に複数列縦方向に配置されている。
【００４９】
次に商品収納コラム２８の動作について説明する。
【００５０】
商品収納コラム２８は自動販売機本体４０内に複数列横方向に配置されている。商品補充部は自動販売機本体４０の正面に開口しており商品１２６を補充するときは商品収納棚１２１を前に引き出すことなく補充できる。商品収納棚１２１は奥に向かって下方に傾斜しており、充填された商品１２５は自重によって奥に滑る。したがって、商品補充する際、各収納棚を引き出す手間を省くことができオペレート時間の短縮を図ることができる。
【００５１】
商品１２６を補充する際に商品収納棚１２１で商品１２６が詰まってしまった場合は商品収納棚１２１の前部分を引くことにより手前に引き出すことが可能となっている。図６において商品収納棚１２１を矢印（実線）方向に引き出すと商品収納棚１２１を支持しているピンスリーブ１２２ｂはパネルコラム１２０に開けられた長孔１２３に沿って初期位置ＡからＢに移動し商品収納棚１２１も同様に前方向へ摺動する。そして商品収納棚１２１を引き出すにつれ、商品収納棚１２１の奥部分が上方に上がっていき（破線矢印）引き出し完了時にはピンスリーブ１２２ｂは最終位置Ｃに到達し商品収納棚１２１は水平状態になっている。
【００５２】
したがって、商品収納棚１２１の前部分が下がって商品が商品収納棚１２１から落下することもなく、また極端に商品収納棚１２１の前部分が上がりすぎることもなく、詰まった商品の取出し及び異なった商品への入れ替え時において商品の確認や取出しを容易に行うことができる。
【００５３】
また長孔１２３は傾きが異なる２つの直線状の長孔が連続して形成された孔となっており、パネルコラム１２０の後方側の長孔は傾きが小さく、前方側は傾きが大きい長孔が連続して形成されて長孔１２３を構成しているので、利用者は引き出し始めは傾きが小さいので、商品収納棚１２１を前方に引き出しやすく、途中から傾きが大きい傾斜となるので、商品収納棚１２１を速やかに水平状態に移行できるので、内部の姿勢が正された商品の姿勢を乱すことなく引き出すことが出来る。
【００５４】
また後方支持部材となるピンスリーブ１２２ｂは商品収納棚１２１の最後部よりもやや前方に固定されており、また長孔１２３の前端部も前方支持部材１２２ａより後方の同じ高さで、近接せず離れた位置に固定されているので、商品収納棚１２１が完全に引き出された状態でも、商品収納棚１２１の一部が本体内部にある状態になるので、商品収納棚自体の強度維持を図ることができる。
【００５５】
補充された商品１２６は商品収納コラム２８の下部に形成されている保温室に搬送される。搬送される際は商品収納棚１２１が確実に固定される必要があり前方向に対するストッパーとして商品収納棚１２１に商品収納棚飛び出し防止ツメ１２４を形成している。
【００５６】
商品収納棚１２１が奥まで挿入されると商品収納棚飛び出し防止ツメ１２４が商品収納棚１２１を支持しているピンスリーブ１２２と引っかかり、前方向への移動を規制することができる。
【００５７】
商品収納棚１２１には収納幅調整板１２５が形成されており、収納幅調整板１２５を左右にスライドさせ幅調整することにより、多品種商品の各寸法に対応して左右にずれないようにすることができる。実施例の場合、収納幅調整板１２５は投入口から数本程度収納される位置までしか奥行き方向には構成されておらず、投入口近辺で商品の姿勢を正すことで、内部での詰りを低減することができ、また操作性を簡便にすることが出来る。
【００５８】
また商品収納コラム２８の構成部品は非常に簡素であり軽量となっているため自動販売機本体４０への組立作業は容易に行うことができる。
【産業上の利用可能性】
【００５９】
以上のように、本発明にかかる自動販売機は商品収納棚を引き出し可能に形成しているので、特に前後方向で商品収納室を形成する自動販売機の用途に適用できる。
【図面の簡単な説明】
【００６０】
【図１】本発明の実施の形態１を示す自動販売機の正面図
【図２】同実施の形態の自動販売機本体の正面図
【図３】図２の縦断面概略図
【図４】同実施の形態の商品収納コラムの斜視図
【図５】図４の縦断面概略図
【図６】図５の動作部における詳細図
【図７】従来の自動販売機の縦断面図
【符号の説明】
【００６１】
２０  自動販売機本体
２１  商品収納室
２７  商品取出口
２８  商品収納コラム
２９  保温室
３０  断熱仕切板
３４  商品搬送手段
３５  排出搬送手段
１２０  パネルコラム
１２１  商品収納棚
１２３  長孔
１２４  商品収納棚飛び出し防止ツメ（ツメ部材）
１２５  収納幅調整板
１２６  商品
【図１】
2008112321.tif 000003
【図２】
2008112321.tif 000004
【図３】
2008112321.tif 000005
【図４】
2008112321.tif 000006
【図５】
2008112321.tif 000007
【図６】
2008112321.tif 000008
【図７】
2008112321.tif 000009